(57)【要約】【課題】  無線端末装置からデータの配信を行う際に、一定期間だけ帯域を確保することができる無線通信システム及びサーバ装置を提供することを目的とする。【解決手段】  複数の無線端末装置Ｔ、無線端末装置と無線で通信しＩＰ網１に接続される無線基地局装置ＢＳ、ＩＰ網１に接続されるサーバ装置Ｓとを有する無線通信システムにおいて、サーバ装置Ｓには、一斉同報配信を行う際に使用する無線基地局装置および使用するチャネル、一斉同報配信の開始および終了の時刻、および予約に関する情報を記憶する予約管理テーブル２５ａを有する。サーバ装置Ｓが無線端末装置Ｔから一斉同報配信の配信要求を受信すると、一斉同報配信に使用する無線基地局装置ＢＳを判断し、チャネルを予約可能であれば予約管理テーブル２５ａを更新し、その無線基地局装置ＢＳへチャネルの予約を要求する。【選択図】  図１
2009232167.tif 000002
【特許請求の範囲】
【請求項１】
複数の無線端末装置と、前記無線端末装置と無線で通信し、ＩＰ網に接続される無線基地局装置と、前記ＩＰ網に接続されるサーバ装置とを有する無線通信システムにおいて、
前記サーバ装置には、
一斉同報配信を行う際に使用する無線基地局装置および使用するチャネル、一斉同報配信の開始および終了の時刻、および予約に関する情報を記憶する予約管理テーブルと、
無線端末装置から受信した一斉同報配信の配信要求を基に、一斉同報配信に使用する無線基地局装置を判断し、前記チャネルが予約可能である場合に予約管理テーブルを更新する予約管理手段と、
前記無線基地局装置へ、チャネルの使用予約を要求する要求手段とを有し、
前記無線基地局装置には、
前記要求手段によってチャネルの使用予約を要求された場合に、チャネルの割当てを行う無線チャネル割当手段と、
前記無線チャネル割当手段によって割当てられたチャネルを前記サーバ装置へ通知する手段とを有することを特徴とする無線通信システム。
【請求項２】
前記無線チャネル割当手段は、無線端末装置が受信に使用するダウンリンクのチャネルを無線端末装置に割当てる場合、前記一斉同報配信を受信する複数の無線端末装置に同一のチャネルを割当てることを特徴とする請求項１に記載の無線通信システム。
【請求項３】
複数の無線端末装置と、前記無線端末装置と無線で通信し、ＩＰ網に接続される無線基地局装置と、前記ＩＰ網に接続されるサーバ装置とを有する無線通信システムにおいて使用されるサーバ装置であって、
一斉同報配信を行う際に使用する無線基地局装置および使用するチャネル、一斉同報配信の開始および終了の時刻、および予約に関する情報を記憶する予約管理テーブルと、
無線端末装置から受信した一斉同報配信の配信要求を基に、一斉同報配信に使用する無線基地局装置を判断し、前記チャネルが予約可能である場合に予約管理テーブルを更新する予約管理手段と、
前記無線基地局装置へ、チャネルの使用予約を要求する要求手段とを有することを特徴とするサーバ装置。
【発明の詳細な説明】
【技術分野】
【０００１】
本発明は、無線端末装置から一斉同報配信を提供する無線通信システム及びサーバ装置に関する。
【背景技術】
【０００２】
近年、携帯電話やＰＨＳなどの無線端末装置で、動画や音楽などのデータ量の多いコンテンツをダウンロードする技術が発展している。このような技術は、無線通信事業者が提供するサーバにコンテンツをアップロードしておき、このコンテンツを無線端末装置のユーザからの要求に応じて、無線端末装置へダウンロードするようになっている。しかしながら、多数のユーザがこのようなデータ量の多いコンテンツを個々にダウンロードするには、無線基地局装置で使用可能な回線の帯域が充分に確保されておらず、そのデータ量の多いコンテンツをダウンロードできるような通信プランの料金は高額である。また、回線の帯域の利用効率を向上させないまま通信料金を低価格化すると、限られた回線の帯域を使用して多くのユーザがデータ量の多いコンテンツのダウンロードを行うようになるため、回線の混雑による接続不可能状態を招く。
【０００３】
このような問題を解決する手段として、複数のユーザが同一のコンテンツをダウンロードする際は、無線基地局装置のチャネルをそれらのユーザの無線端末装置に同一のチャネルを割当てして回線の帯域を効率よく使用する技術が知られている（特許文献１）。
【０００４】
また、今後は、無線基地局装置の回線が大容量である無線公衆網が整備されるようになるため、データ量の多いコンテンツのダウンロードが活発になると予想される。さらに、この無線公衆網は、無線端末装置へコンテンツをダウンロードするだけでなく、無線端末装置側からコンテンツのネットワーク配信を行うような柔軟なサービスが期待される。
【特許文献１】特開２００３−２８３４２２号公報
【発明の開示】
【発明が解決しようとする課題】
【０００５】
しかしながら、上記の従来技術では、無線端末装置からサーバへアップロードするような無線通信システムは構成されておらず、無線端末装置側からネットワーク配信を行うことはできない。それに加えて、例え無線端末装置からサーバへアップロードすることができたとしても、そのコンテンツのネットワーク配信を行うために必要な帯域を確保できるとは限らないという問題がある。例えば、帯域を確保できないままネットワークを使用した教育で、ネットワーク配信を行う場合は、講義のコンテンツを受信できないという問題が生じる。
【０００６】
本発明は、上記問題点を解決するためになされたもので、無線端末装置からデータの配信を行う際に、一定期間だけ帯域を確保することができる無線通信システムを提供することを目的とする。
【課題を解決するための手段】
【０００７】
本発明による無線通信システムは、複数の無線端末装置と、前記無線端末装置と無線で通信し、ＩＰ網に接続される無線基地局装置と、前記ＩＰ網に接続されるサーバ装置とを有する無線通信システムにおいて、前記サーバ装置には、一斉同報配信を行う際に使用する無線基地局装置および使用するチャネル、一斉同報配信の開始および終了の時刻、および予約に関する情報を記憶する予約管理テーブルと、無線端末装置から受信した一斉同報配信の配信要求を基に、一斉同報配信に使用する無線基地局装置を判断し、前記チャネルが予約可能である場合に予約管理テーブルを更新する予約管理手段と、前記無線基地局装置へ、チャネルの使用予約を要求する要求手段とを有し、前記無線基地局装置には、前記要求手段によってチャネルの使用予約を要求された場合に、チャネルの割当てを行う無線チャネル割当手段と、前記無線チャネル割当手段によって割当てられたチャネルを前記サーバ装置へ通知する手段とを有することを特徴としている。
【０００８】
また、本発明によるサーバ装置は、複数の無線端末装置と、前記無線端末装置と無線で通信し、ＩＰ網に接続される無線基地局装置と、前記ＩＰ網に接続されるサーバ装置とを有する無線通信システムにおいて使用されるサーバ装置であって、一斉同報配信を行う際に使用する無線基地局装置および使用するチャネル、一斉同報配信の開始および終了の時刻、および予約に関する情報を記憶する予約管理テーブルと、無線端末装置から受信した一斉同報配信の配信要求を基に、一斉同報配信に使用する無線基地局装置を判断し、前記チャネルが予約可能である場合に予約管理テーブルを更新する予約管理手段と、前記無線基地局装置へ、チャネルの使用予約を要求する要求手段とを有することを特徴としている。
【発明の効果】
【０００９】
本発明によれば、無線端末装置からデータの配信を行う際に、一定期間だけ帯域を確保することができる無線通信システム及びサーバ装置を提供することができる。
【発明を実施するための最良の形態】
【００１０】
以下、本発明の実施例を図面を参照して説明する。
【実施例１】
【００１１】
図１は、この発明に関わる無線通信システムの一実施の形態を示し、特に、無線端末装置から一斉同報配信を行うためのシステム構成図である。  
このシステムは、無線端末装置Ｔ１、Ｔ２、Ｔ３が無線で通信を行うための無線基地局装置ＢＳ１、ＢＳ２、…、ＢＳｎがＩＰ網１に接続されて構成されている。このＩＰ網１には、無線通信システムの事業者の管理の下で無線端末装置からの一斉同報配信を管理するサーバ装置Ｓが接続されている。なお、無線端末装置Ｔは３個のみ示しているが、各無線基地局装置ＢＳ１乃至ＢＳｎのそれぞれには多数の無線端末装置Ｔが接続可能である。また、これらの無線端末装置Ｔは、携帯電話やＰＨＳなどの無線端末装置だけでなく、ＰＤＡ（パーソナル・デジタル・アシスタント）やパーソナルコンピュータなどに無線インターフェースを内蔵または外付けで備えているものでもよい。図１では、無線基地局装置ＢＳ１と無線で通信可能な無線ゾーン２に無線端末装置Ｔ１、Ｔ２、Ｔ３が在圏している様子を示している。
【００１２】
図２は、無線基地局装置ＢＳ（ＢＳ１乃至ＢＳｎ共通）の機能ブロック図である。無線基地局装置ＢＳには、無線部１００、有線インターフェース部１４、主制御部１５、メモリ１６、無線チャネル割当部１７が備えられている。無線部１００には、無線インターフェース部１１、無線制御部１２、メモリ１３が備えられている。この無線制御部１２は、メモリ１３に記憶されている情報を基に、無線で送受信する無線インターフェース部１１を制御するようになっている。有線インターフェース部１４は、ＩＰ網１と接続するものである。また、主制御部１５は、無線部１００、有線インターフェース部１４、メモリ１６、無線チャネル割当部（無線チャネル割当手段）１７と接続され、各部を制御するようになっている。メモリ１６には、有線インターフェース部１４から受信したデータを一斉同報配信するために必要な情報を記憶するチャネル予約テーブル１６ａが記憶されるようになっている。無線チャネル割当部１７は、無線インターフェース部１１または有線インターフェース部１４から受信した接続要求に係る情報を基に、その接続要求に係る無線端末装置に無線チャネルを割当てするようになっている。
【００１３】
図３は、サーバ装置Ｓの機能ブロック図である。サーバ装置Ｓには、インターフェース部２１、主制御部２２、認証部（認証手段）２３、予約管理部（予約管理手段）２４、メモリ２５が備えられている。  
インターフェース部２１は、ＩＰ網１と有線で接続するためのものである。また、主制御部２２は、インターフェース部２１、認証部２３、予約管理部２４、及びメモリ２５と接続され、各部を制御するようになっている。認証部２３は、無線端末装置Ｔからインターフェース部２１を介して受信した一斉同報配信情報の受信をしてよいか否かを、前記無線端末装置から受信する認証情報を基に認証を行うようになっている。また、メモリ２５には、予約管理テーブル２５ａが備えられ、一斉同報配信を行う際に使用する無線基地局装置やその使用するチャネル、一斉同報配信の開始および終了の時刻、一斉同報配信を受信する際に必要なパスワードなどの認証情報、及び予約に関する情報を記憶するものである。予約管理部２４は、無線端末装置Ｔからインターフェース部２１を介して受信した一斉同報配信の配信要求を基に、どの無線基地局装置ＢＳを使用して配信するか、予約可能か否かなどのチャネル予約の可否を判断し、予約管理テーブル２５ａを更新するようになっている。
【００１４】
図４は、サーバ装置Ｓに記憶されている予約管理テーブル２５ａの一例である。この予約管理テーブル２５ａには、無線基地局装置ＢＳ毎に、一斉同報配信の配信要求を行った無線端末装置Ｔのユーザの識別情報、一斉同報配信の開始および終了時刻、送信および受信に使用するチャネル、及びユーザのメールアドレス、パスワードが記憶されている。送信および受信に使用するチャネルについては、後に詳述する。
【００１５】
なお、ユーザの識別情報の代わりに、無線端末装置Ｔの電話番号やIPアドレスなどの識別情報を記憶してもよい。また、これらの他にも、一斉同報配信を受信させたい無線端末装置Ｔの識別情報やメールアドレスなどを記憶するようにしてもよい。
【００１６】
図４では、無線基地局装置ＢＳ１にはユーザ１およびユーザ２が予約されており、ユーザ１の予約開始時刻は「１０：１５：００」、予約終了時刻は「１１：００：００」、後述するチャネルは送信の場合は「＃１」、受信の場合は「＃１」である。また、ユーザのメールアドレスは「ｘｘｘ＠ａａ．ｃｏｍ」、パスワードは「ａｂｃ１２３」である。
【００１７】
図５は、無線基地局装置ＢＳに記憶されているチャネル予約テーブル１６ａの一例である。このチャネル予約テーブル１６ａには、予約管理テーブル２５ａのうち自らの無線基地局装置ＢＳの情報のみを記憶するようになっている。図５では、予約管理テーブル２５ａの無線基地局装置ＢＳ１に関する情報のみ記憶されており、その記憶内容は図４と同じであるため、説明を省略する。
【００１８】
次に、図６を参照してチャネルについて説明する。  
図６は、無線通信システムで使用される無線帯域を周波数と時間軸にチャネルを多重したフレーム構成を示したものである。
【００１９】
フレームＦ１は、ダウンリンクサブフレームＤＬ１、送信／受信切り替えのギャップＴＴＧ１、アップリンクサブフレームＵＬ１で構成される。また、フレームＦ１と次のフレーム（次のフレームのうち、ダウンリンクサブフレームDＬ２のみ図に記載）の間には、受信／送信切り替えのギャップＲＴＧ１が設けられている。
【００２０】
ダウンリンクサブフレームＤＬ１は、プリアンブル、後に続く最初のダウンリンクサブフレームＤＬ１のプロファイルを規定する情報を示すフレーム制御ヘッダＦＣＨ、ダウンリンクサブフレームＤＬ１の割当情報ＤＬ−ＭＡＰ、アップリンクサブフレームＵＬ１の割当情報ＵＬ−ＭＡＰ、無線基地局装置ＢＳから無線端末装置Ｔへデータを送信する場合に使用される多数のチャネルＤＬ−Ｂｕｒｓｔ＃１、…、ＤＬ−Ｂｕｒｓｔ＃６で構成されている。
【００２１】
また、アップリンクサブフレームＵＬ１は、初期レンジングＲａｎｇｉｎｇ  ｓｕｂｃｈａｎｎｅｌ、無線端末装置Ｔから無線基地局装置ＢＳへデータを送信する場合に使用される多数のチャネルＵＬ−Ｂｕｒｓｔ＃１、…、ＵＬ−Ｂｕｒｓｔ＃３で構成されている。
【００２２】
例えば無線端末装置Ｔ１がデータを送信する場合には、特定のチャネルを占有してそのチャネルを使用してデータを送信する。この特定のチャネルは、１つのみでも、複数でもよいが、１つのチャネルを複数の無線端末装置Ｔが使用してデータを送信することはできない。次に、例えば無線端末装置Ｔ２がデータを受信する場合には、特定のチャネルを使用してデータを受信する。このとき、無線端末装置Ｔ２が受信するデータと同じデータを無線端末装置Ｔ３が受信する場合には、無線端末装置Ｔ２が使用しているチャネルを無線端末装置Ｔ３も使用して無線端末装置Ｔ２が受信するデータと同じデータを受信することができるようになっている。
【００２３】
次に、図７を参照して、無線端末装置Ｔが一斉同報配信を配信要求してから一斉同報配信を行い、終了するまでの無線通信システム全体の流れを説明する。  
ここでは、無線端末装置Ｔ１、Ｔ２、Ｔ３が無線基地局装置ＢＳ１の無線ゾーン２に在圏し、無線端末装置Ｔ１が一斉同報配信を行い、無線端末装置Ｔ２、Ｔ３が一斉同報配信を受信する場合を例に示す。
【００２４】
まず、無線端末装置Ｔ１が無線基地局装置ＢＳ１を介してサーバ装置Ｓへ一斉同報配信の配信要求を行う（Ｓ１０１）。この配信要求には、配信に使用する無線基地局装置ＢＳを決定するために必要な、配信時の無線端末装置Ｔ１の所在地、配信の開始および終了時刻、一斉同報配信を受信する無線端末装置Ｔ２、Ｔ３の情報やその他の情報が含まれる。この一斉同報配信の配信要求をサーバ装置Ｓが受信すると、一斉同報配信に使用する無線基地局装置ＢＳ、および一斉同報配信の送受信者を制限するためのパスワードを決定する（Ｓ１０２）。サーバ装置Ｓは、この内容を予約管理テーブル２５ａに記憶して更新する。
【００２５】
予約管理テーブル２５ａを更新すると、サーバ装置Ｓは、予約管理テーブル２５ａの無線基地局装置ＢＳ１に関する情報を無線基地局装置ＢＳ１へ送信してチャネルの予約を要求する（要求手段）（Ｓ１０３）。この情報を受信した無線基地局装置ＢＳ１は、受信した情報を基にチャネルを割当てしてチャネル予約テーブルに記憶する（Ｓ１０４）。チャネル予約テーブルに記憶すると、無線基地局装置ＢＳ１はサーバ装置Ｓへ割当てしたチャネルの情報を通知する（Ｓ１０５）。
【００２６】
サーバ装置Ｓが、割当したチャネルに関する情報を無線基地局装置ＢＳ１から受信すると、一斉同報配信の許可の通知および一斉同報配信に使用するパスワードを無線基地局装置ＢＳ１を介して無線端末装置Ｔ１へ通知する（Ｓ１０６）。また、サーバ装置Ｓが無線端末装置Ｔ１へ通知した後、一斉同報配信の受信の許可がなされたことの通知を一斉同報配信を受信する無線端末装置Ｔ２、Ｔ３へ送信する（Ｓ１０７、Ｓ１０８）。
【００２７】
無線端末装置Ｔ１は、一斉同報配信の受信に必要なパスワードを無線端末装置Ｔ２、Ｔ３へ無線基地局装置ＢＳ１を介して送信する（Ｓ１０９、Ｓ１１０）。
【００２８】
無線端末装置Ｔ１は、一斉同報配信の開始時刻になると、終了時刻まで送信チャネル＃１を占有して無線基地局装置ＢＳ１へ一斉同報配信のデータを送信し続ける（Ｓ１１１）。
【００２９】
無線端末装置Ｔ２が一斉同報配信を受信する場合は、無線端末装置Ｔ２が無線基地局装置ＢＳ１を介してサーバ装置Ｓへ受信要求およびパスワードを送信する（Ｓ１１２）。サーバ装置Ｓは、無線端末装置Ｔ２が受信可能であるか否かを無線端末装置Ｔ２から受信するパスワード等の認証情報を基に認証する（Ｓ１１３）。認証の結果、受信可能であれば、サーバ装置Ｓは受信を認証したことを示す受信認証通知を、無線基地局装置ＢＳ１へ送信する（Ｓ１１４）。無線基地局装置ＢＳ１は無線端末装置Ｔ２への一斉同報配信が許可されたことを受信すると、無線端末装置Ｔ１が配信している一斉同報配信のデータを受信チャネル＃１を使用して無線端末装置Ｔ２でも受信できるように変更する（Ｓ１１５）。このようにして、受信要求があった無線端末装置Ｔ２に対する一斉同報配信のデータの受信ができるようになる。
【００３０】
次に、無線端末装置Ｔ３が一斉同報配信を受信する場合は、無線端末装置Ｔ３が無線基地局装置ＢＳ１を介してサーバ装置Ｓへ受信要求およびパスワードを送信する（Ｓ１１６）。サーバ装置Ｓは、無線端末装置Ｔ３が受信可能であるか否かを受信したパスワードに基づいて認証する（Ｓ１１７）。受信可能であれば、サーバ装置Ｓは受信を認証したことを、無線基地局装置ＢＳ１へ通知する（Ｓ１１８）。無線基地局装置ＢＳ１は無線端末装置Ｔ３への一斉同報配信が許可されたことを受信すると、無線端末装置Ｔ１が配信している一斉同報配信のデータを受信チャネル＃１を使用して無線端末装置Ｔ３でも受信できるように変更する（Ｓ１１９）。このようにして、受信要求があった無線端末装置Ｔ３に対する一斉同報配信のデータの受信ができるようになる。  一斉同報配信の終了時刻になると、サーバ装置Ｓは、一斉同報配信の終了通知を無線基地局装置ＢＳ１へ送信する（Ｓ１２０）。
【００３１】
次に、図８のフローチャートを参照してサーバ装置Ｓの処理について説明する。  
まず、サーバ装置Ｓは無線端末装置Ｔから一斉同報配信の配信要求があるか否かを判断する（Ｓ２０１）。一斉同報配信の配信要求が無い場合はステップＳ２０１の処理を繰り返す。一斉同報配信の配信要求がある場合は、一斉同報配信の配信要求と共に送られてくる情報を基に、一斉同報配信に使用する無線基地局装置ＢＳを判断する（Ｓ２０２）。無線基地局装置ＢＳを判断すると、その無線基地局装置ＢＳの予約情報および無線基地局装置ＢＳから送られてくるその無線基地局装置ＢＳのチャネルの割当て情報から、その無線基地局装置ＢＳに送信および受信チャネルを設定可能か否かを判断する（Ｓ２０３）。その無線基地局装置ＢＳに送信および受信チャネルを設定できなければ、処理を終了する。その無線基地局装置ＢＳに送信および受信チャネルを設定可能であれば、その無線基地局装置ＢＳへ一斉同報配信に使用するチャネルなどの一斉同報配信に必要な情報を送信する（Ｓ２０４）。
【００３２】
その無線基地局装置ＢＳへ一斉同報配信に必要な情報を送信すると、一斉同報配信の許可の通知および一斉同報配信に使用するパスワードを一斉同報配信の配信要求を行った無線端末装置Ｔへ送信する（Ｓ２０５）。また、一斉同報配信の受信の許可がなされたことを示す一斉同報配信受信可能通知を、一斉同報配信を受信する無線端末装置Ｔへ送信する（Ｓ２０６）。
【００３３】
一斉同報配信を受信する無線端末装置Ｔへ一斉同報配信受信可能通知を送信した後は、無線端末装置Ｔが一斉同報配信を受信するためにアクセスしてきたか否かを判断する（Ｓ２０７）。アクセスが無い場合はステップＳ２０７の処理を繰り返す。アクセスがある場合は、その無線端末装置Ｔの受信を許可するか否かをその無線端末装置Ｔから受信したパスワード等の認証情報を基に判断する（Ｓ２０８）。許可できない場合は、処理を終了する。受信を許可できた場合は、無線基地局装置ＢＳへ受信を許可したことを示す受信認証通知を送信する（Ｓ２０９）。受信認証通知を送信した後は、予約終了時刻になったか否かを判断し（Ｓ２１０）、予約終了時刻になっていなければステップＳ２０７以降の処理を繰り返す。予約終了時刻になった場合は、処理を終了する。
【００３４】
以上のように、一斉同報配信を行う際の送信および受信チャネルを占有することを予め予約しておくことで、安定した一斉同報配信を行うことができる無線通信システムを提供することが可能である。
【００３５】
また、一斉同報配信のデータを多くの無線端末装置が受信する場合に、受信に使用するチャネルを共通にしておくことで、同一データのダウンロードを行うチャネルを効率よく使用することができる。
【００３６】
さらに、無線端末装置からの一斉同報配信の配信要求をサーバ装置が管理するようにし、一斉同報配信を行う際にサーバ装置にアップロードせず無線基地局装置ＢＳを経由して配信するため、配信する膨大なデータをサーバに蓄積することなく、無線端末装置からデータの配信を行うことができる。
【００３７】
なお、本発明は、以上の構成に限定されるものではなく、種々の変形が可能である。  
例えば、図８のフローチャートのステップＳ２０３で無線基地局装置ＢＳおよびチャネルを決定できない場合、処理を終了するように記載したが、ステップＳ２０２およびステップＳ２０３の処理は、無線端末装置から接続要求が生じた場合に行う無線リソース（帯域）の割当て方法と同様であるため、無線リソースの割当てに優先順位を設けて一斉同報配信の配信要求を許可するように構成してもよい。
【００３８】
また、実施例１では、無線端末装置Ｔ２、Ｔ３が一斉同報配信を受信する認証を受けるために、受信要求と共に認証用のパスワードを送信するようにした。しかしながら、無線端末装置Ｔ２、Ｔ３が受信要求を送信して一斉同報配信を受信可能となった後に、無線端末装置Ｔ２、Ｔ３が一斉同報配信によって配信されているデータを自らの無線端末装置Ｔ２、Ｔ３で再生（視聴）を開始する際に、パスワード等を用いて認証を行うように構成してもよい。
【図面の簡単な説明】
【００３９】
【図１】本発明の一実施の形態に係る無線通信システムを示した図。
【図２】本発明の一実施の形態に係る無線基地局装置の構成を示した図。
【図３】本発明の一実施の形態に係るサーバ装置の構成を示した図。
【図４】本発明の一実施の形態に係るサーバ装置に記憶されている無線基地局装置毎のチャネルの予約状況を管理する予約管理テーブルを示した図。
【図５】本発明の一実施の形態に係る無線基地局装置のチャネルの予約状況を記憶するチャネル予約テーブルを示した図
【図６】本発明の一実施の形態に係る無線基地局装置と無線端末装置の間の通信に使用するフレーム構成の概略図。
【図７】本発明の一実施の形態に係る無線端末装置から一斉同報配信を行う際のシーケンス図。
【図８】本発明の一実施の形態に係る無線端末装置から一斉同報配信を行う際にチャネルの予約管理を行うサーバ装置の動作フローチャート。
【符号の説明】
【００４０】
Ｔ１、Ｔ２、Ｔ３、…無線端末装置
ＢＳ１、ＢＳ２、…、ＢＳｎ…無線基地局装置
Ｓ…サーバ装置
１…ＩＰ網
２…無線ゾーン
１１…無線インターフェース部
１２…無線制御部
１３、１６、２５…メモリ
１４…有線インターフェース部
１５、２２…主制御部
１６ａ…チャネル予約テーブル
１７…無線チャネル割当部
２１…インターフェース部
２３…認証部
２４…予約管理部
２５ａ…予約管理テーブル
Ｆ１…フレーム
ＤＬ１、ＤＬ２…ダウンリンクサブフレーム
ＵＬ１…アップリンクサブフレーム
ＴＴＧ…送信／受信切り替えのギャップ
ＲＴＧ…受信／送信切り替えのギャップ
【図１】
2009232167.tif 000003
【図２】
2009232167.tif 000004
【図３】
2009232167.tif 000005
【図４】
2009232167.tif 000006
【図５】
2009232167.tif 000007
【図６】
2009232167.tif 000008
【図７】
2009232167.tif 000009
【図８】
2009232167.tif 000010